(57)【要約】【課題】手指等の洗浄および除菌を確実に行える洗浄装置を提供する。【解決手段】本発明の洗浄装置（Ｍ）は、洗浄対象を出し入れする挿入口を有し洗浄対象を収容できると共に使用した洗浄液を排出させる排出口を有するシンク（４１）と、シンク内へ洗浄液を吐出する洗浄手段（１１、１２、１３、１４等）と、シンク内へ送気する送気手段（２１、２２、４１１等）とを備える。その洗浄手段は、ｐＨ６〜７の高濃度次亜塩素酸水へ希釈水を混合したｐＨ４〜６の希釈次亜塩素酸水を洗浄液として吐出する。これにより、洗浄時に洗浄対象へ供給する洗浄液の濃度や供給量等の調整自由度を大きくできる。また、殺菌効果に優れる次亜塩素酸を最も有効に活用した洗浄が可能となる。さらに、シンク内へオゾンを常時供給することにより、手指の除菌のみならず、装置の自己浄化や装置の設置空間の清浄も効率的に行える。【選択図】図２
2018064676.tif 000002
【特許請求の範囲】
【請求項１】
洗浄対象を出し入れする挿入口を有し該洗浄対象を収容できると共に使用した洗浄液を排出させる排出口を有するシンクと、
該シンク内へ洗浄液を吐出する洗浄手段と、
該シンク内へ送気する送気手段と、
を備える洗浄装置であって、
前記洗浄手段は、ｐＨ６〜７の高濃度次亜塩素酸水へ希釈水を混合したｐＨ４〜６の希釈次亜塩素酸水を前記洗浄液として吐出することを特徴とする洗浄装置。
【請求項２】
前記高濃度次亜塩素酸水は、取替自在なカートリッジタンク内に収容されて供給される請求項１に記載の洗浄装置。
【請求項３】
前記洗浄手段は、一回の洗浄あたり前記洗浄液を１５０〜１０００ｍｌ吐出する請求項１または２に記載の洗浄装置。
【請求項４】
前記送気手段は、外気を導入するブロワーと、該ブロワーの上流側に配設される浄化フィルターとを有する請求項１〜３のいずれかに記載の洗浄装置。
【請求項５】
さらに、前記シンクへオゾンを供給するオゾン供給手段を備える請求項１〜４のいずれかに記載の洗浄装置。
【請求項６】
前記オゾン供給手段は、前記送気手段による送気の下流側へオゾンを供給する請求項５に記載の洗浄装置。
【請求項７】
前記オゾン供給手段は、前記洗浄対象が前記シンク内にないときに、該シンクへオゾンを供給する請求項５または６に記載の洗浄装置。
【請求項８】
さらに、少なくとも前記洗浄手段の作動を制御する制御手段を備え、
前記制御手段は、前記シンク内に前記洗浄対象が挿入されていない所定時期に、前記洗浄手段を所定時間作動させて前記シンクへ前記洗浄液を吐出する自己浄化モードを行う請求項１〜７のいずれかに記載の洗浄装置。
【発明の詳細な説明】
【技術分野】
【０００１】
本発明は、手指等（洗浄対象）の洗浄（除菌、殺菌等を含む）を行える洗浄装置に関する。
【背景技術】
【０００２】
衛生意識の高揚や種々の細菌やウイルスに起因した感染症を防止するために、洗浄または除菌を行う装置が種々提案されている。特に、洗浄後の水分等が装置を設置した周辺に飛散しないように、洗浄と洗浄後の水切（乾燥を含む）とを同じ収容室（洗浄槽）内で行う装置も提案されている。これに関連する記載が下記の特許文献にある。
【先行技術文献】
【特許文献】
【０００３】
【特許文献１】特開２０００−６０７６３号公報
【特許文献２】特開２０１２−１２０７１７号公報
【発明の概要】
【発明が解決しようとする課題】
【０００４】
特許文献１は、挿入部内に入れられた手へ洗浄用ミストを噴出させた後、そのまま送風により洗浄後の手を乾燥させる手洗浄乾燥装置を提案している。
【０００５】
特許文献２は、ｐＨ６〜７の次亜塩素酸水を一回あたり０．５〜１０ｃｃ噴霧して洗浄した後に、オゾンを含む空気で乾燥させる手指洗浄乾燥装置を提案している。
【０００６】
いずれもの場合も、一回あたりに供給される洗浄液量が非常に少なく、洗浄性または除菌性等が十分とは言い難い。また、特許文献１には洗浄液に関する具体的な記載がない。特許文献２で用いているｐＨ６〜７の微酸性の次亜塩素酸水は、殺菌に有効な次亜塩素酸（ＨＣｌＯまたはＨＯＣｌ）の存在比率が低く、上記のような極少量では効率的な洗浄や除菌を行えない。
【０００７】
本発明はこのような事情に鑑みて為されたものであり、従来の装置とは異なる洗浄装置を提供することを目的とする。
【課題を解決するための手段】
【０００８】
本発明者はこの課題を解決すべく鋭意研究した結果、共通のシンク内で手等の洗浄と水切（乾燥）を行うことを前提に、殺菌活性に優れる次亜塩素酸の存在比率が高い洗浄液を洗浄対象へ比較的多く供給して、確実な除菌等を効率的に行う装置を着想した。この着想を具現化することにより、以降に述べる本発明を完成するに至った。
【０００９】
《洗浄装置》
（１）本発明の洗浄装置は、洗浄対象を出し入れする挿入口を有し該洗浄対象を収容できると共に使用した洗浄液を排出させる排出口を有するシンクと、該シンク内へ洗浄液を吐出する洗浄手段と、該シンク内へ送気する送気手段と、を備える洗浄装置であって、前記洗浄手段は、ｐＨ６〜７の高濃度次亜塩素酸水へ希釈水を混合したｐＨ４〜６の希釈次亜塩素酸水を前記洗浄液として吐出することを特徴とする。
【００１０】
（２）本発明の洗浄装置は、先ず、上述した洗浄手段と送気手段を備えることにより、洗浄対象の洗浄と洗浄対象から洗浄液を除去する水切（乾燥）とを、同一のシンク（洗浄槽）内で行える。このため、洗浄装置を設置した周辺を水滴等で濡らしたりすることがなく、装置を設置する周辺空間の環境も衛生的な状態に維持できる。
【００１１】
次に本発明の洗浄装置では、高濃度次亜塩素酸水を上水等で希釈して用いる。このため、洗浄時に洗浄対象へ供給する洗浄液の濃度や供給量等の調整自由度を大きくできる。例えば、本発明の洗浄装置によれば、洗浄対象へ比較的多くの洗浄液を掛け流して、洗浄対象に付着している菌等を殺菌しつつ十分に洗い流すこともできる。また、そのように一回あたりに多くの洗浄液を使用しても、希釈水が随時補給される環境下であれば、高濃度次亜塩素酸水を補充または交換する頻度を低減できる。
【００１２】
さらに本発明の洗浄装置では、高濃度次亜塩素酸水自体ではなく、ｐＨ４〜６に調整された希釈次亜塩素酸水からなる洗浄液を用いている。高い殺菌効果を発揮する次亜塩素酸（ＨＣｌＯ）は、ｐＨ４〜６さらにはｐＨ４．５〜５．５の水溶液中で存在比率が極大化（または最大化）する。従って本発明の洗浄装置によれば、高濃度次亜塩素酸水の使用量を抑制しつつも、次亜塩素酸を有効に活用した洗浄・除菌が可能となる。
【００１３】
《その他》
（１）本明細書でいう高濃度次亜塩素酸水は、それを水で希釈した希釈次亜塩素酸水を調製するために用いる原料となる次亜塩素酸水という意味である。高濃度次亜塩素酸水と希釈次亜塩素酸水は、ｐＨの相違からも明確に区別し得る。従って、高濃度次亜塩素酸水の具体的な濃度は問わない。
【００１４】
敢えて濃度をいうなら、高濃度次亜塩素酸水は、有効塩素濃度が５００ｍｇ／Ｌ以上、１０００ｍｇ／Ｌ以上さらには１５００ｍｇ／Ｌ以上であると好ましい。また生産性や管理性等の観点から敢えていうと、有効塩素濃度は２５００ｍｇ／Ｌ以下さらには２０００ｍｇ／Ｌ以下であると好ましい。また希釈次亜塩素酸水は、例えば、高濃度次亜塩素酸水を１０〜１００倍、２０〜６０倍さらには３０〜５０倍に希釈し、有効塩素濃度が５〜１００ｍｇ／Ｌ、１０〜８０ｍｇ／Ｌさらには２０〜６０ｍｇ／Ｌであると好ましい。
【００１５】
高濃度次亜塩素酸水はｐＨ６（超）〜７さらには６．２〜６．８が好ましい。そのｐＨが高くなると、次亜塩素酸（ＨＣｌＯ）は殺菌力の弱い次亜塩素酸イオン（ＣｌＯ-）または次亜塩素酸ナトリウム等へ変化し得る。逆にｐＨが低下すると、塩素ガス（Ｃｌ２）を発生し得る。いずれの場合も、殺菌力の強い次亜塩素酸の減少や有効塩素濃度の低下を招くため好ましくない。
【００１６】
なお、高濃度次亜塩素酸水と希釈水の混合により、高濃度次亜塩素酸水中の次亜塩素酸は不均化反応（２ＨＣｌＯ→２ＨＣｌ＋Ｏ２）を生じる。これにより希釈次亜塩素酸水は高濃度次亜塩素酸水よりも酸性側へシフトし、次亜塩素酸の存在比率が高いｐＨ４〜６となる。ちなみに次亜塩素酸水は、食塩水や塩酸水を電気分解して生成され、食品添加物（殺菌料）としても認められた安全な洗浄液（除菌液）である。但し、本発明に係る洗浄液は、次亜塩素酸を主成分（濃度が最大な成分）としつつ、他の安全な洗浄成分または除菌成分をさらに含んでもよい。
【００１７】
（２）特に断らない限り本明細書でいう「ｘ〜ｙ」は下限値ｘおよび上限値ｙを含む。本明細書に記載した種々の数値または数値範囲に含まれる任意の数値を新たな下限値または上限値として「ａ〜ｂ」のような範囲を新設し得る。
【図面の簡単な説明】
【００１８】
【図１】本発明の一実施例である手指洗浄乾燥除菌装置の外観斜視図である。
【図２】その内部構造を模式的に示したブロック図である。
【図３】その作動（制御）を示すフローチャートである。
【発明を実施するための形態】
【００１９】
上述した本発明の構成要素に、本明細書中から任意に選択した一つまたは二つ以上の構成要素を付加し得る。方法的な構成要素でも物に関する構成要素ともなり得る。いずれの実施形態が最良であるか否かは、対象、要求性能等によって異なる。
【００２０】
《洗浄手段》
（１）本発明に係る洗浄手段は、高濃度次亜塩素酸水（以下、単に「原水」ともいう。）と希釈水を混合して得られた希釈次亜塩素酸水（洗浄液）をシンク内へ吐出する。この洗浄手段は、例えば、高濃度次亜塩素酸水を汲み上げて圧送する第１ポンプと、希釈水を汲み上げて圧送する第２ポンプと、両ポンプから圧送された高濃度次亜塩素酸水と希釈水を混合する混合器（継手）と、希釈次亜塩素酸水をシンクへ吐出（噴出）させる洗浄ノズルと、第１ポンプから混合器までを連通させる第１配管と、第２ポンプから混合器までを連通させる第２配管と、混合器から洗浄ノズルまでを連通させる第３配管とを備える。
【００２１】
洗浄液の吐出の開始や停止は、各ポンプの起動・停止と連動させても良いし、開閉弁等を別途設けて行ってもよい。洗浄ノズルからの吐出流量（ｍｌ／ｍｉｎ）や希釈率（高濃度次亜塩素酸水と希釈水の混合割合）の調整も、各ポンプ自体の出力（流量）調整により行ってもよいし、配管中に流量調整弁等を配設して行ってもよい。なお、各ポンプの起動・停止（オン・オフ）や別途設けた電磁弁等の制御は、後述する制御手段によりなされる。また、第１ポンプと第２ポンプは独立した二つのポンプからなる場合に限らず、一つのポンプを兼用してもよい。
【００２２】
（２）高濃度次亜塩素酸水は、取替自在なカートリッジタンク内に収容されて供給されると好ましい。これにより、次亜塩素酸水の生成装置（電解装置）を設ける必要がなく、洗浄装置のコンパクト化を図れる。また、洗浄装置の維持や管理も容易となる。なお、高濃度次亜塩素酸水の残量がわかる表示手段（残量警告等を含む）または検知手段がカートリッジタンクや洗浄装置に設けられていると好ましい。洗浄装置に設ける検知手段は、例えば、カートリッジタンクの重量変化をロードセルやスプリングの変位で検出することにより行える。
【００２３】
一方、希釈水は、上水道または上水タンクから供給されると好ましい。これにより洗浄装置を設置する場所で多量の希釈水を取得できるようになり、吐出する洗浄液の流量や希釈率の調整自由度が高まる。なお、ここでいう「上水」とは、通常、いわゆる水道水であるが、浄化された衛生的な水であれば水道水には限らない。上水タンクは、孤立した貯水タンク（リザーブタンク）でもよいが、上水道に連結されていてもよい。後者の場合、例えば、上水道と上水道タンクの連通が開閉弁等で制御されると、上水タンク内の水位が低下したときに上水道から上水が適宜補充されて好ましい。なお、そのような開閉弁は、電磁弁の他、ボールタップ式等の機械弁でもよい。
【００２４】
（３）洗浄手段は、一回の洗浄あたり洗浄液を１５０〜１０００ｍｌ、２５０〜５００ｍｌさらには３００〜４００ｍｌ吐出するようにすると好ましい。吐出量が過少では、次亜塩素酸水による十分な洗い流しができず、洗浄性や除菌性が低下し得る。吐出量が過多では、高濃度次亜塩素酸水等の浪費になる。また一回の洗浄あたりの吐出時間（洗浄時間）は１０〜３０秒さらには１５〜２０秒であると好ましい。吐出時間が過小では洗浄性や除菌性が低下し、過大な吐出時間は非効率である。
【００２５】
《送気手段》
送気手段は、シンク内へ送気して、少なくとも洗浄液で洗い流された洗浄対象の水切または乾燥を行う。送気手段は、例えば、洗浄装置の筐体外から空気（外気）を導入するブロワーと、ブロワーによる送風をシンクの通気口（送気口、送風口またはエアーノズル）へ誘導するダクトを備える。ブロワーは一つでも良いが、風量を確保するために複数設けられてもよい。なお、送気手段は、外気温等に応じて適宜、送風を加温する加温手段を備えると好ましい。加温手段は、種々のヒータでもよいが、例えば、ブロワーの吹き出し圧力により空気が圧縮されて、空気温度が自然と上昇する圧力加温式を採用すると、省エネルギー化も図れて好ましい。
【００２６】
さらにブロワーの上流側に浄化フィルターが配設されていると好ましい。これによりシンクへ清浄な空気が送気され、水切・乾燥時に洗浄対象が再汚染されることが防止される。浄化フィルターは、ブロワーが取り込む空気中からゴミ、塵埃、細菌等を取り除くフィルターであり、洗浄装置の用途や仕様に応じた適切な性能を有すると好ましい。例えば、ＪＩＳ（Ｚ８１２２）にも規定されているような、ＨＥＰＡフィルター(High Efficiency Particulate Air Filter)やＵＬＰＡフィルター (Ultra Low Penetration Air Filter) 等を用いるとよい。
【００２７】
《オゾン供給手段》
本発明の洗浄装置は、シンク内へオゾンを供給するオゾン供給手段を備えると好適である。これにより、オゾンで除菌等された清浄な空気で洗浄後の水切・乾燥を行うことが可能となる。また、洗浄後の水切・乾燥を行うとき以外（例えば、洗浄対象がシンク内になく、送気手段が停止しているとき）にも、オゾン供給手段を作動させて、シンクの通気口（送気口）を通じてオゾンを放出させると、洗浄装置を設置している空間の空気清浄、除菌、脱臭等（以下、これらを「空間清浄」という。）を行うこともできる。さらに、シンクの内壁面等に付着した有機物等（タンパク質、油脂等）をオゾンで分解することもできる。なお、オゾンで有機物等が分解されることにより、後述する自己浄化がより有効に促進される。
【００２８】
オゾン供給手段は、例えば、オゾン発生器と、オゾン発生器で発生したオゾンを送気するファンと、オゾンを送気手段のダクトまたはシンクまで誘導する導管からなる。オゾンを送気手段のダクトへ流入させる場合、導管は送気手段（特にブロワー）の下流側に接続されると好ましい。これにより、オゾンによるブロワーの劣化促進やブロワーへのオゾン対策を回避できる。
【００２９】
オゾンを供給する際に（水切・乾燥時に限らない）、導管がダクトに接続された状態で送気手段のブロワーを作動させるなら、上述したファンを省略することもできる。ダクト内を流れる送風により生じる負圧（ベンチュリー効果）で、オゾンは導管からダクトへ自ずと流入するからである。
【００３０】
オゾンの供給量は、洗浄装置の設置空間におけるオゾン濃度が０．０２〜０．０６ｍｇ／Ｌさらには０．０３〜０．０５ｍｇ／Ｌとなるように調整されると好ましい。オゾン濃度が過小では空間清浄や自己浄化の効果が乏しく、オゾン濃度が過大では不快感を人に与え得る。設置空間の大きさにも依るが、オゾンの供給量は、例えば、１〜１０ｍｇ／ｈさらには２〜６ｍｇ／ｈとするとよい。なお、オゾン濃度が異常に上昇し得る環境下では、オゾン分解触媒を、送気手段やオゾン供給手段の外気取込口側に設けてもよい。
【００３１】
《制御手段》
制御手段は、各手段の作動（起動・停止等）を制御する。例えば、シンク内に洗浄対象が挿入されているときに、制御手段は洗浄手段を所定時間作動させて洗浄対象へ洗浄液を吐出する洗浄モードを行った後、さらに送気手段を所定時間作動させて洗浄対象に付着した洗浄液を気流により吹き払う乾燥モードを行う。
【００３２】
また制御手段は、例えば、シンク内に洗浄対象が挿入されていない所定時期に、洗浄手段を所定時間作動させてシンクへ洗浄液を吐出する自己浄化モードを行う。ここで、オゾン供給手段は、制御手段により起動・停止等が制御されても良いが、単に洗浄装置の電源のＯＮ・ＯＦＦと連動して起動・停止してもよい。後者の場合、オゾン供給手段は、電源がＯＮ状態にあるときは常時稼働しており、水切・乾燥時以外のときもオゾンがシンク内や洗浄装置の設置空間へ放出される。これにより空間清浄がなされ、また自己浄化を促進できる。
【００３３】
なお、オゾンによって自己浄化が促進される理由は次の通りである。先ず、オゾンによってシンクに付着していた有機物等が酸化分解される。この状態で洗浄液が供給されると、次亜塩素酸水が有機物等により撥水されずに細菌等へ直接作用し、自己浄化による除菌効果等が高まる。
【００３４】
《その他》
本発明の洗浄装置は、食品加工工場、クリーンルーム、病院、トイレ等に設置して、指・手・腕等の洗浄・除菌（さらに空間清浄）に利用できる。洗浄対象は、手指等の人体に限らず、シンクの形状や大きさを調整すれば、医療器具や衛生器具など様々な物も洗浄対象となる。
【実施例】
【００３５】
本発明の洗浄装置の一実施例である手指洗浄乾燥除菌装置Ｍ（単に「洗浄乾燥装置Ｍ」という。）を取り上げて、以下に本発明を具体的に詳しく説明する。
【００３６】
《構成》
洗浄乾燥装置Ｍの外観は、図１に示すような略直方体状の筐体４０からなる。筐体４０の上方には挿入口４１０から差し入れた手指を収容可能な洗浄槽であるシンク４１があり、その前方下方には開閉扉４２がある。開閉扉４２を通じて、後述する高濃度次亜塩素酸水のカートリッジタンク１１０の出し入れ（交換）が可能となっている。また筐体４０の上端付近には制御盤５０が設けられており、洗浄乾燥装置Ｍの作動状態を示すインジケータや電源スイッチ等が配置されている。
【００３７】
洗浄乾燥装置Ｍの内部構造を図２に模式的に示した。洗浄乾燥装置Ｍは、洗浄手段と、送気手段およびオゾン供給手段を備える。洗浄手段は、カートリッジタンク１１０内の高濃度次亜塩素酸水を配管１１１を通じて汲み上げるポンプ１１（第１ポンプ）と、リザーブタンク１２０内の上水（希釈水）を配管１２１を通じて汲み上げるポンプ１２（第２ポンプ）と、ポンプ１１から配管１１２を通じて圧送された高濃度次亜塩素酸水とポンプ１２から配管１２２を通じて圧送された希釈水とを混合する連結部１３（混合器）と、連結部１３で生じた希釈次亜塩素酸水（洗浄液）を配管１３１を通じてシンク内へ噴出させる洗浄ノズル１４とを備える。
【００３８】
なお、リザーブタンク１２の側面には、ボールタップ式の自動開閉弁を介して上水道が配管されている。これによりリザーブタンク１２内で希釈水の水位が低下すると、希釈水が所定の水位となるまで、上水道からリザーブタンク１２内へ自動的に補水される。また、洗浄ノズル１４は、シンク４１の両側にある壁面上方に複数配置されている。そして洗浄ノズル１４から吐出された希釈次亜塩素酸水は、シンク４１の排出口から配管４３を通じて下水道等へ排水される。なお、図示していないが、リザーブタンク１２またはリザーブタンク１２から洗浄ノズル１４に至る配管の少なくとも一部にヒーターを設置して、洗浄液を加温してもよい。これにより冬季等も、快適な洗浄を行うことができる。
【００３９】
本実施例では、高濃度次亜塩素酸水として、高橋金属株式会社製ＳＡＮ−ＴＩＷＳ（サンティウス）を用いた。この高濃度次亜塩素酸水は、ｐＨ調整用の塩酸を適宜添加した塩化ナトリウム水溶液を二室型電解槽の一方の電解室（例えば陰極室）に通水した後、もう一方の電解室（例えば陽極室）へ通水して得られたものである。高濃度次亜塩素酸水は、二室型電解槽の代わりに無隔膜一室型電解槽で電気分解して得られたものでもよい。さらに高濃度次亜塩素酸水は、塩化ナトリウム水溶液を電気分解して得られた強酸性電解水に、同電気分解時に得られた強アルカリ性電解水の一部を混合したものでもよい。
【００４０】
カートリッジタンク１１０は、例えば、そのサンティウス（ｐＨ６．５、有効塩素濃度：約１８００ｍｇ／Ｌ）を１０Ｌ収容したパウチ容器からなる。本実施例では、ポンプ１１とポンプ１２の各流量を調整して、その高濃度次亜塩素酸水を上水で４０倍程度に希釈した。得られた希釈次亜塩素酸水は、ｐＨ５付近で有効塩素濃度が約５０ｍｌ／Ｌとなった。
【００４１】
送気手段は、筐体４０の側面に設けられた多数の開孔４０１を通じて吸引した外気をダクト２１１を通じて送気するブロワー２１と、ブロワー２１の上流側（開孔４０１側）に配設されたＨＥＰＡフィルターからなる浄化フィルター２２と、連結部２３およびダクト２１２を通じてシンク４１に設けた送気口４１１（通気口）とを備える。
【００４２】
なお、送気口４１１も、シンク４１の両側にある壁面上方にそれぞれ配置されている。また、ブロワー２１も各送気口４１１に対応して複数設けられており、十分な風量で短時間の水切や乾燥が可能となっている。
【００４３】
オゾン供給手段は、オゾン発生器３１と、オゾン発生器３１で生成されたオゾンを導管３３および連結部２３を通じてブロワー２１の下流側にあるダクト２１２へ送気するファン３２とを有する。なお、本実施例では、オゾン発生器３１によるオゾン発生量を４ｍｇ／ｈとした。
【００４４】
《作動》
制御盤５０に内蔵されたマイコン（図略／制御手段）により、電源がＯＮされた洗浄乾燥装置Ｍは、図３に示すように作動する。
【００４５】
（１）洗浄乾燥装置Ｍの電源がＯＮされると、オゾン発生器３１とファン３２が連続的に稼働してオゾンを送気口４１１へ常時供給する（ステップＳ１）。
【００４６】
シンク４１内に洗浄対象である手指等が挿入されたことが赤外線センサー等（図略）により検知されると（ステップＳ２）、ポンプ１１、１２を稼働させる（ステップＳ３）。これにより洗浄ノズル１４からシンク４１内に挿入された手指へ希釈次亜塩素酸水が噴出されて洗浄モードが開始される。そして、予め設定した洗浄時間が経過すると（ステップＳ４）、ポンプ１１、１２を停止させる（ステップＳ５）。ポンプ１１、の停止により洗浄モードが終了する。なお、例えば、洗浄モードのときの洗浄時間（洗浄液の吐出時間）は１６〜１８秒程度、洗浄液の噴出量は３２０〜３６０ｍｌ程度とするとよい。
【００４７】
シンク４１内から手指が抜かれていないことを確認した後（ステップＳ６）、ブロワー２１を稼働させる（ステップＳ７）。これにより送気口４１１からの送風によってシンク４１内に挿入された手指に付着している希釈次亜塩素酸水を水切・乾燥させる乾燥モードが開始される。ブロワー２１は、シンク４１内に手指がある間は継続して稼働する（ステップＳ８）。但し、シンク４１内から手指が抜かれるか（ステップＳ８）、予め設定した乾燥時間（例えば３０秒）が経過すると（ステップＳ９）、ブロワー２１は停止する（ステップＳ１０）。ブロワー２１の停止により乾燥モードが終了する。
【００４８】
（２）シンク４１内で手指等が検知されない状態が予め設定した時間（例えば１時間）を経過すると（ステップＳ２、ステップＳ１１）、ポンプ１１、１２を稼働させて洗浄液をシンク４１内へ噴出させる（ステップＳ１２）。予め設定した洗浄時間（例えば５秒）が経過すると（ステップＳ１３）、ポンプ１１、１２を停止させて洗浄液の噴出を止める（ステップＳ１４）。このように洗浄モードおよび乾燥モードがなされていないときでも、定期的に自己浄化モードがなされる。なお、自己浄化モードのときの洗浄液の噴出量は、例えば１００ｍｌ程度にすればよい。
【００４９】
ちなみに、自己浄化モードの開始前からシンク４１内にはオゾンが継続的に供給されている。このため、シンク４１内に付着している有機物等は、そのオゾンにより予め酸化分解された状態となっている。その結果、自己浄化モードで噴出された希釈次亜塩素酸水はシンク４１内であまり撥水等せずに、直接的に細菌等へ作用する。従って、本実施例の自己浄化モードは高い除菌効果を発揮する。
【００５０】
（３）乾燥モードでないときでも、オゾン発生器３１で生成されたオゾンが、ファン３２によって送気口４１１から送気されている。そのオゾンの一部は、上述したようにシンク４１内に付着している有機物等の酸化分解に使用されるが、その大部分は洗浄乾燥装置Ｍの設置空間へ放出される。このため、少なくとも洗浄乾燥装置Ｍが設定されている近傍の設置空間は、そのオゾンによって空気清浄もなされる。
【００５１】
このように本実施例に係る洗浄乾燥装置Ｍは、手指等の洗浄・除菌・乾燥等のみならず、装置自体の自己浄化や装置を設定している空間の清浄等も併せてなし得る。
【符号の説明】
【００５２】
Ｍ      手指洗浄乾燥除菌装置（洗浄装置）
１４    洗浄ノズル
４０    筐体
４１    シンク
４１１  送気口
【図１】
2018064676.tif 000003
【図２】
2018064676.tif 000004
【図３】
2018064676.tif 000005